(57)【要約】【課題】ギター表板用の改良されたブレイシング構造を提供する。【解決手段】ギター表板は、サウンドホールと、縦軸線をもつギターネックに取り付けられるように構成されたネック側端部と、ヒール側端部と、縦軸線に垂直な横軸線と、裏面とを備える。ギター表板の裏面は、裏面に取り付けられた一対の縦ブレイスを有する。一対の縦ブレイスは、ヒール側端部からネック側端部に向かって主に縦軸線に沿って延在し、ネック側端部に向かってサウンドホールを越えた箇所で終端する。縦ブレイスのそれぞれは、縦ブレイス間の距離がサウンドホールの直径を超えるようにサウンドホールの対向する側に位置付けられる。【選択図】図１
2017078857.tif 000002
【特許請求の範囲】
【請求項１】
サウンドホールと、
縦軸線を有するギターネックに取り付けられるように構成されたネック側端部と、
ヒール側端部と、
前記縦軸線に垂直な横軸線とを備えるギター表板であって、
前記ギター表板の裏面が、前記面に取り付けられた一対の縦ブレイスを備え、前記一対の縦ブレイスが、前記ヒール側端部から前記ネック側端部へ向かって主に前記縦軸線に沿って延在し、前記ネック側端部に向かって前記サウンドホールを越えた箇所で終端し、
前記一対の縦ブレイスのそれぞれが、前記縦ブレイス間の距離が前記サウンドホールの直径を超えるように前記サウンドホールの対向する側に位置付けられ、
前記縦ブレイスが、前記一対の縦ブレイス間の距離が前記ヒール側端部よりも前記ネック側端部に向かって大きくなるように設置され、
１つ以上のファンブレイスが、主に前記横軸線に沿って延在し、前記１つ以上のファンブレイスのうち少なくとも１つが、前記一対の縦ブレイスの１つの位置で終端する、ギター表板。
【請求項２】
前記一対の縦ブレイスのそれぞれが、単一の一体セグメントである、請求項１に記載のギター表板。
【請求項３】
前記ギター表板の前記裏面に固定されたブリッジプレートを有し、前記一対の縦ブレイスのそれぞれが前記ブリッジプレートに接触している、請求項１に記載のギター表板。
【請求項４】
前記一対の縦ブレイスが、第１縦ブレイスと第２縦ブレイスとを備え、
前記第１及び第２縦ブレイスが、交差するとともに前記ギターの基準点で終端し、
前記基準点が、前記ギター表板の前記ヒール側端部近傍にある、請求項１に記載のギター表板。
【請求項５】
前記基準点が、前記ギター表板の前記ヒール側端部にある、請求項４に記載のギター表板。
【請求項６】
ファンブレイスが、前記一対の縦ブレイス間に延在していない、請求項１に記載のギター表板。
【請求項７】
１つ以上のファンブレイスが、前記一対の縦ブレイスの間に位置付けられている、請求項１に記載のギター表板。
【請求項８】
前記１つ以上のファンブレイスのそれぞれが、前記一対の縦ブレイスの１つに対して略垂直な角度で位置付けられている、請求項１に記載のギター表板。
【請求項９】
前記一対の縦ブレイスと前記１つ以上のファンブレイスとが前記縦軸線に対して対称である、請求項１に記載のギター表板。
【請求項１０】
前記１つ以上のファンブレイスのそれぞれが、前記一対の縦ブレイスの１つから前記裏面の端部まで延在する、請求項１に記載のギター表板。
【請求項１１】
１つ以上のファンブレイスが一対のファンブレイスを備える、請求項９に記載のギター表板。
【請求項１２】
２対以上のファンブレイスを備える、請求項１１に記載のギター表板。
【請求項１３】
前記ギター表板が、ボディ及びネックと共に組み立てられてギターを形成し、
前記ギターが、電子部品を備える、請求項１に記載のギター表板。
【請求項１４】
縦軸線を有するネックと、
ボディとを備えるギターであって、
前記ボディが、表板を備え、
前記表板が、
サウンドホールと、
前記ネックに取り付けられるように構成されたネック側端部と、
ヒール側端部と、
前記縦軸線に垂直な横軸線とを備え、
前記ギター表板の裏面が、前記面に取り付けられた一対の縦ブレイスを備え、前記一対の縦ブレイスが、前記ヒール側端部から前記ネック側端部へ向かって、主に前記縦軸線に沿って延在し、前記ネック側端部に向かって前記サウンドホールを越えた箇所で終端し、
前記一対の縦ブレイスのそれぞれが、前記縦ブレイス間の距離が前記サウンドホールの直径を超えるように前記サウンドホールの対向する側に位置付けられ、
前記縦ブレイスが、前記一対の縦ブレイス間の距離が前記ヒール側端部よりも前記ネック側端部に向かって大きくなるように設置され、
１つ以上のファンブレイスが、主に前記横軸線に沿って延在し、前記１つ以上のファンブレイスのうち少なくとも１つが、前記一対の縦ブレイスの１つの位置で終端する、ギター。
【請求項１５】
前記一対の縦ブレイスのそれぞれが、単一の一体セグメントである、請求項１４に記載のギター。
【請求項１６】
前記ギター表板の前記裏面に固定されたブリッジプレートを有し、前記一対の縦ブレイスのそれぞれが前記ブリッジプレートに接触している、請求項１４に記載のギター。
【請求項１７】
前記一対の縦ブレイスが、第１縦ブレイスと第２縦ブレイスとを備え、
前記第１及び第２縦ブレイスが、交差するとともに前記ギターの基準点で終端し、
前記基準点が、前記ギター表板の前記ヒール側端部近傍にある、請求項１４に記載のギター。
【請求項１８】
前記基準点が、前記ギター表板の前記ヒール側端部にある、請求項１７に記載のギター。
【請求項１９】
ファンブレイスが、前記一対の縦ブレイス間に延在していない、請求項１４に記載のギター。
【請求項２０】
１つ以上のファンブレイスが、前記一対の縦ブレイスの間に位置付けられている、請求項１４に記載のギター。
【請求項２１】
前記１つ以上のファンブレイスのそれぞれが、前記一対の縦ブレイスの１つに対して略垂直な角度で位置付けられている、請求項１４に記載のギター。
【請求項２２】
前記一対の縦ブレイスと前記１つ以上のファンブレイスとが前記縦軸線に対して対称である、請求項１４に記載のギター。
【請求項２３】
前記１つ以上のファンブレイスのそれぞれが、前記一対の縦ブレイスの１つから前記裏面の端部まで延在する、請求項１４に記載のギター。
【請求項２４】
１つ以上のファンブレイスが一対のファンブレイスを備える、請求項２２に記載のギター。
【請求項２５】
２対以上のファンブレイスを備える、請求項２４に記載のギター。
【発明の詳細な説明】
【技術分野】
【０００１】
本発明の実施例は、概してフラットトップギターに関する。より具体的には、本発明は、ギター表板用の改良されたブレイシング構造に関する。
【背景技術】
【０００２】
フラットトップギター等の楽器のボディにおいては、ブリッジ、すなわち弦の取付点の前方における、弦の真下のギター表板に、円形状又は楕円形状のサウンドホールが一般的に利用されている。この開口は、構造的に弱い箇所を作り出して、弦の張力によって物理的な歪みをギターのボディに生じさせ、ギターが機能しなくなる怖れがある。この変形を抑制するために、ブレイス等の構造部材が求められる。また、構造部材は、弦の張力による変形を抑制するだけではなく、弦からの振動を伝導・分配して、ギターの共鳴空洞又はボディの振動の均一化を補助することも要求される。
【０００３】
従来のフラットトップギターのように振動板の中心に弦が取り付けられた楽器は、弦のエネルギーの増幅器としては非効率的である。奏者が振動弦に与える慣性のほとんどは、楽器のボディによって増幅されるどころか、楽器の支持部材を介して放散・消失してしまう。こうしたエネルギーの消失が、弦楽器の可能な音量、サステイン、及び応答性を低下させてしまう。
【０００４】
振動弦の動作は、弦が固定されて張られる構造によって大きく支配される。
構造により剛性をもたせるほど、より振動に抵抗力のある構造となる。振動に抵抗力のある構造は、吸収する弦のエネルギーの量が少なく、弦を長時間振動させることができる。剛性をもつ支持部材及びそれに伴うより長く持続する弦の振動の特徴は、楽器の長く持続する楽音に表れ、この音質はこのような楽器の奏者にとっては有益なものである。
【０００５】
剛性をもつ支持部材の欠点は、振動に付与される制限が、弦の振動を共鳴させて可聴音量に変換する構造の能力に直接影響することである。音量は、振動の振幅で測定される。楽器が弦の振動を増幅するためには、大きな音量が必要である。楽器の支持構造が柔軟であればあるほど、作り出される楽音の振幅又は可能な音量が増す。
【０００６】
弦を支持する構造についてのこれらの２つの考えは、真っ向から対立している。すなわち、振動を長く持続させるのに必要な剛性と、振幅の形態の可聴音量を作り出すのに必要な柔軟性とは、対立している。従来、楽器は、サステイン及び音量の両方を備えた楽器となるように、剛性と柔軟性とのバランスをとることを試みる形で構成されている。
【０００７】
典型的なギターや類似する楽器は、その楽器の表板又は面の裏側において一連の構造的支持体を採用しており、一般には、２つのメイン支持ブレイスが、Ｘ字状に交差するように配置される。このＸ字は、通常は弦の取付点の前方において楽器表面の裏側の中心に設置されたブレイスの交差により配向されている。これらの楽器は一般に、楽器の表板を更に安定させて弦により付与される張力による歪みを防ぐために、弦の取付点の近傍且つ後方の領域に、追加の非対称的なブレイシングを用いている。この方法は、楽器の表板の剛性と、振動するための柔軟性及び能力との妥協案である。張力の低いナイロン弦又はガット弦を有するギターに一般的に利用される他の支持方法は、楽器のサウンドホール近傍を起点として弦に平行に又はギターのボディのより広い部分へと広がる複数の支持バーを用いている。
【発明の概要】
【課題を解決するための手段】
【０００８】
本発明は、概してギター表板に関する。一実施例において、ギター表板はサウンドホールと、縦軸線を含むギターネックに取り付けられるように構成されたネック側端部と、ヒール側端部と、縦軸線に垂直な横軸線と、裏面とを備える。ギター表板の裏面は、裏面に取り付けられた一対の縦ブレイスを備える。一対の縦ブレイスは、ヒール側端部からネック側端部へ向かって主に縦軸線に沿って延在し、ネック側端部に向かってサウンドホールを越えた箇所で終端する。縦ブレイスのそれぞれは、縦ブレイス間の距離がサウンドホールの直径を越えるようにサウンドホールの対向する側に位置付けられる。縦ブレイスは、一対の縦ブレイス間の距離がヒール側端部よりもネック側端部に向かって大きくなるように設置される。１つ以上のファンブレイスが、主に横軸線に沿って延在し、１つ以上のファンブレイスのうち少なくとも１つが、一対の縦ブレイスの１つの位置で終端する。
【図面の簡単な説明】
【０００９】
上述の本発明の特徴を詳細に理解できるように、その幾つかを添付の図面に示す実施例を参照して、先に簡約された本発明をより具体的に説明する。しかしながら、添付の図面は、本発明の典型的な実施例のみを示すものであり、従って本発明の範囲を限定するものとはみなされず、本発明は他の等しく有効な実施例にも容認される。
【００１０】
【図１】本発明の第１実施例のブレイシング構造を利用したギター表板の裏側の平面図である。
【図２】本発明の第２実施例のブレイシング構造を利用したギター表板の裏側の平面図である。
【図３】本発明の第３実施例のブレイシング構造を利用したギター表板の裏側の平面図である。
【発明を実施するための形態】
【００１１】
本発明は、フラットトップギター等の弦楽器の表板用の構造支持部材に関する。より具体的には、本発明は、ギターの構造的完全性と剛性との両方を最大限に高め、弦により作り出されるエネルギーを増幅させる楽器の能力を向上させる、構造支持部材又はブレイスの新たな配置に関する。
【実施例１】
【００１２】
図１、２、及び３は、本発明の３つの異なる実施例におけるギター表板ブレイシング構造の平面図である。ギター表板１すなわちサウンドボードは、ギターのネックに近接する端部５と、ギターのヒールに近接する対向端部６と、ギターのネックに沿う縦軸線１１とをもつ表面と裏面とを有する。表板１は、円形状又は楕円形状のサウンドホール３と、ギター表板１の裏面に取り付けられたブリッジプレート７とを含む。一対の縦ブレイス２ａ，２ｂ及び１つ以上のファンブレイス４ａ，４ｂ，４ｃが、ギター表板１の裏面に固定されて、弦の張力によるギターの物理的な歪みに抗する機械的支持を提供し、弦からの振動の伝導及び分配に寄与してギターの共鳴空洞の振動の均一化を補助する。縦ブレイス２ａ，２ｂ及びファンブレイス４ａ，４ｂ，４ｃは、ギター表板１の柔軟性に影響し、ひいては表板１の音量を作り出す振幅に影響する。縦ブレイス２ａ，２ｂ及びファンブレイス４ａ，４ｂ，４ｃによって、ギター表板の剛性と、音量を作り出す柔軟性とに対する独立制御が可能となる。
【００１３】
図１、２、及び３に示す実施例において、縦ブレイス２ａ，２ｂは、ギター表板１に沿ってネック側端部５とヒール側端部６との間に延在する。縦ブレイス２ａ，２ｂは、ネック側端部５からヒール側端部６までのギター表板１の部分的な長さ又は全長に亘り延在してもよい。縦ブレイス２ａ，２ｂは、ギター表板１の全長に沿って連続して、すなわち分割されていなくてもよい。縦ブレイス２ａ，２ｂは、主に縦軸線１１に沿って位置付けられる。縦軸線１１は、ギター表板１の中心線に沿っていてもよい。なお、縦軸線１１はギター表板１の中心線からずれていてもよい。縦ブレイス２ａ，２ｂの配向は、縦ブレイス２ａ，２ｂ間の距離がヒール側端部６近傍よりもネック側端部５近傍で大きくなるように、非平行となっている。縦ブレイス２ａ，２ｂは、サウンドホール３の両側に位置付けられ、サウンドホール３を越えてネック側端部５側に延在し、この方向における剛性を提供する。縦ブレイス２ａ，２ｂは、指板ブレイス９まで延在してもよい。プレートブレイス１０が、ネック側端部５に最も近いサウンドホール３の縁部と、指板ブレイス９と、サウンドホール３にまたがる縦ブレイス２ａ，２ｂとの間に形成される空間内に位置付けられていてもよい。指板ブレイス９及びプレートブレイス１０は、当該技術分野において知られる任意の方法に従って、構成され位置付けられてもよい。各縦ブレイス２ａ，２ｂは、縦軸線１１に対して０〜４５度の間の角度を形成し、ヒール側端部６近傍に頂点をもつＶ字形状を成す。好適な角度は約５〜２０度の間である。図示の実施例において、角度は約１０度である。縦ブレイス２ａ，２ｂは、縦ブレイス２ａ，２ｂは、それらの縦ブレイス２ａ，２ｂがサウンドホール３に隣接して延在して、サウンドホール３がそのＶ字形状の中に収まるように位置付けられる。好適には、縦ブレイス２ａ，２ｂはサウンドホール３の縁部近傍に位置付けられる。Ｖ字形状の角度は、縦ブレイス２ａ，２ｂがサウンドホール３に隣接して位置付けられるように選択しうる。Ｖ字形状の角度と、サウンドホール３と縦ブレイス２ａ，２ｂとの間の距離とは、ヒール側端部６に相対するＶ字形状の頂点の位置と、サウンドホール３から頂点までの距離と、サウンドホール３の直径と、表板１の大きさ及び形状と、ネックの長さと、ギターの目盛り長とに応じて異なってもよい。図示の実施例において、Ｖ字形状の頂点は、表板１のヒール側端部６の略縁部に位置付けられる。他の実施例では、頂点をヒール側端部６の縁部から離間して位置付けてもよいし、ギター表板１のいかなる箇所においても縦ブレイス２ａ，２ｂが交差しない場合には、頂点はなくてもよい。サウンドホール３は、縦ブレイス２ａ，２ｂの間の対称軸線に沿って位置付けられてもよい。あるいは、サウンドホール３は、縦ブレイス２ａ，２ｂの間の対称軸線からずれていてもよい。図１、２、及び３の実施例から分かるように、縦ブレイス２ａ，２ｂは、それらがブリッジプレート７に接するように位置付けられてもよい。好適には、縦ブレイス２ａ，２ｂは、ブリッジプレート７に嵌合できるようにほぞ穴が設けられるか切り込みを入れられ、表板１及びブリッジプレート７の両方に固定される。あるいは、ブリッジプレート７を３つの小片で作り、縦ブレイス２ａ，２ｂ間に嵌合され、縦ブレイス２ａ，２ｂと当接させることもできる。
【００１４】
ギター表板１は、ブリッジからギターのヘッドストックに張られた弦を有する。弦は、ナイロン製でもスチール製でもよい。弦がギター表板１に与える張力はギターを歪ませて使えなくする虞がある。ギター表板１に取り付けられた縦ブレイス２ａ，２ｂが、縦軸線１１に沿って表板１の剛性を高めることで変形に対して抵抗する。縦ブレイス２ａ，２ｂは、ブレイスの剛性、又は、ギター表板１の変形に対する抵抗を援助するブレイスの能力のいずれかを変える複数の方法のうちの一つにより形作られてもよい。縦ブレイス２ａ，２ｂは、本発明の特定の実施例に力学特性が合うように、単一の素材又は２つ以上の素材の複合物で構成される。好適な素材は木材である。縦ブレイス２ａ，２ｂの厚みは、ブレイスの剛性を変化させるために変更してもよい。ギター表板１における縦ブレイス２ａ，２ｂの正確な配置は、縦軸線１１に沿って縦ブレイス２ａ，２ｂにより提供される支持を増減するために、縦軸線１１と各縦ブレイス２ａ，２ｂとの間の角度を増減することによって変更してもよい。こうした変更が可能なことによって、ギター表板１の剛性が正確に制御できる。
【００１５】
１つ以上のファンブレイス４ａ，４ｂ，４ｃは、弦からの振動を、ギター表板１の振動領域すなわち半球１２，１３の中心に向けて分配できるように、ギター表板１の裏面に固定されてもよい。半球１２，１３は、振動し必要な振幅を作り出して可聴音量を発生させるようになっている。ファンブレイス４ａ，４ｂ，４ｃを変更することでギター表板１の柔軟性、ひいてはギターにより作り出される可聴音量、を制御することが可能となる。ファンブレイス４ａ，４ｂ，４ｃの正確な数及び位置は、本発明の特定の実施例に応じて変更可能である。
【００１６】
一実施例において、ファンブレイス４ａ，４ｂ，４ｃは、ギター表板１の縦軸線１１に対応する対称軸線を共有する対を成してもよい。図１には、ファンブレイス４ａ，４ｂ，４ｃの３組の対が示されている。図１から分かるように、ファンブレイス４ａ，４ｂは、縦ブレイス２ａ，２ｂに対しギター表板１の平面に略直角に、又は、直角から最大で２０度ずれた角度で当接してもよい。あるいは、ファンブレイス４ａ，４ｂは、縦ブレイス２ａ，２ｂに対し、表板１上のファンブレイス４ａ，４ｂの他の位置付けに適応する角度で当接してもよい。なお、ファンブレイス４ａ，４ｂは、それらの配向に対して縦方向の構成要素を有してもよい。好適には、ファンブレイス４ｃは、ギター表板１の平面を縦軸線１１に対して垂直に横断する横軸線と配列される。これによって、ファンブレイス４ｃは直角以外の角度で縦ブレイス２ａ，２ｂに当接し、ファンブレイス４ｃが縦ブレイス２ａ，２ｂに当接する角度は、縦軸線１１に対して縦ブレイス２ａ，２ｂが形成する角度に応じて変化する。なお、図２の実施例に示すように、ファンブレイス４ｃは対を成さなくてもよい。
【００１７】
図１の実施例に示すように、ファンブレイス４ｃは、縦ブレイス２ａ，２ｂからギター表板１の外縁部まで延在してもよい。あるいは、ファンブレイス４ａ，４ｂは、縦ブレイス２ａ，２ｂから、外側ブレイシング８まで、又はギター表板１の外縁部に達しない距離まで、延在してもよい。ファンブレイス４ａ，４ｂ，４ｃは、当該技術分野において知られる任意の適した方法を用いて、縦ブレイス２ａ，２ｂ及び外側ブレイシング８に当接してもよい。ファンブレイス４ａ，４ｂ，４ｃの幅及び厚さは、当該技術分野において知られる任意の適切な寸法であればよい。ファンブレイス４ａ，４ｂ，４ｃは、ギター表板１の柔軟性に対する更なるレベルの制御を可能とするのに求められる力学特性をもつ木材、プラスチック、又は他の材料若しくは複合物から構成できる。
【００１８】
ファンブレイス４ａ，４ｂ，４ｃは、サウンドホール３及びブリッジプレート７に対して相対的にギター表板１の上に位置付けられてもよい。１つ以上のファンブレイス４ａが、ブリッジプレート７に近接し表板１のヒール側端部６に向かう縦ブレイス２ａ，２ｂに当接してもよい。これによって、ファンブレイス４ａ，４ｂはブリッジプレート７とヒール側端部６との間に位置付けられる。図１及び図２の実施例から分かるように、ファンブレイス４ａ，４ｂの複数の対が、ブリッジプレート７とヒール側端部６との間に位置付けられてもよい。ファンブレイス４ａは、ブリッジプレート７に接触又は略接触してもよい。あるいは、ファンブレイス４ｂはブリッジプレート７からヒール側端部６に向かってより大きく離間していてもよい。図３の実施例から分かるように、一対のファンブレイス４ｂ、又は任意には単一のファンブレイスが、ブリッジプレート７とヒール側端部６との間に位置付けられてもよい。この一対又は単一のファンブレイス４ｂは、ブリッジプレートに接触又は略接触してもよい。あるいは、ファンブレイス４ｂはブリッジプレート７からヒール側端部６に向かってより大きく離間していてもよい。図１、２、及び３に示す実施例において、ブリッジプレート７とヒール側端部６との間に位置付けられたファンブレイス４ａ及び／又は４ｂは、縦ブレイス２ａ，２ｂに対して略垂直である。なお、本発明の他の実施例において、ファンブレイス４ａ，４ｂは、それらが横軸線に対して略平行となるように位置付けることも可能であり、あるいは、それらが縦ブレイス２ａ，２ｂに対して垂直とならないように別の角度に配向することも可能である。
【００１９】
１つ以上のファンブレイス４ｃは、ブリッジプレート７とネック側端部５との間の縦ブレイス２ａ，２ｂに当接してもよい。ファンブレイス４ｃは、図１の実施例に見られる一対のファンブレイス４ｃ又は図２に見られる単一のファンブレイス４ｃのように、ブリッジプレート７とネック側端部５との間に位置付けられてもよい。図２に示す実施例において、ファンブレイス４ｃは、単一の分割されていないブレイス、又は、縦ブレイス２ａ，２ｂに当接する３つの分割されたブレイスに構成可能である。なお、図３の実施例から分かるように、複数のファンブレイス又は複数対のファンブレイス４ａ，４ｃは、ブリッジプレート７とネック側端部５との間に位置付け可能である。ブリッジプレート７とネック側端部５との間に位置付けられたファンブレイス４ａ，４ｃは、特定の実施例の配置に応じて、ブリッジプレート７とネック側端部５とから離間させることができる。あるいは、ファンブレイス４ａ，４ｃは、ブリッジプレート７とネック側端部５とのいずれかにより近くなるように離間させることもできる。図１、２、及び３に示す実施例において、ブリッジプレート７とネック側端部５との間に位置するファンブレイス４ｃは、横軸線に対して略平行である。なお、本発明の他の実施例において、ファンブレイス４ｃは、縦ブレイス２ａ，２ｂに対して略垂直になるように、又は、縦ブレイス２ａ，２ｂに対して略垂直でもなく横軸線に対して平行でもない別の角度に配向されるように、位置付け可能である。
【００２０】
ファンブレイス４ｃは、ヒール側端部６に向かって、サウンドホール３に近接して位置付けられてもよい。図示の実施例において、ファンブレイス４ｃは、サウンドホール３におけるブリッジプレート７に最も近い縁部近傍に位置付けられる。本発明の他の実施例において、ファンブレイス４ｃはサウンドホール３の他の縁部近傍に位置付け可能である。
【００２１】
図１及び３に示す実施例から分かるように、ファンブレイス４ａ，４ｂ，４ｃは、縦ブレイス２ａ，２ｂからギター表板１の外縁部に延在する一方縦ブレイス２ａ，２ｂが形成するＶ字形状の内側領域にファンブレイス４ａ，４ｂ，４ｃのいずれかを残さなくてもよい。あるいは、ファンブレイス４ｃは、図２の実施例に示すファンブレイス４ｃのように、縦ブレイス２ａ，２ｂと交差し、縦軸線１１に向かって縦ブレイス２ａ，２ｂの内側に延在してもよい。
【００２２】
ギター表板は、当該技術分野において知られる任意の方法を用いて、ギターボディ及びギターネックと共に組み立てることができる。ギターは、当該技術分野において知られる電子機器や他のギター用部品等の追加の部品を含んでもよい。
【００２３】
上記の内容は本発明の実施例に向けられたものだが、本発明の基本的範囲から逸脱することなく本発明の他の実施形態及び更なる実施例を考案できよう。本発明の範囲は、以下の特許請求の範囲によって規定される。
【符号の説明】
【００２４】
１      ギター表板，表板
２ａ，２ｂ      縦ブレイス
３      サウンドホール
４ａ，４ｂ，４ｃ      ファンブレイス
５      端部，ネック側端部
６      対向端部，ヒール側端部
７      ブリッジプレート
８      外側ブレイシング
９      指板ブレイス
１０      プレートブレイス
１１      縦軸線
１２      半球
１３      半球
【図１】
2017078857.tif 000003
【図２】
2017078857.tif 000004
【図３】
2017078857.tif 000005
【外国語明細書】
2017078857000001.pdf